(57)【要約】 【課題】携帯端末装置から外部出力装置へ映像出力させる際に、確実な映像出力を実現できるようにする。 【解決手段】携帯電話装置１は、外部出力装置２との接続を検出した際に、外部出力装置２で映像出力が可能となるように映像出力先を外部出力装置２に切り替える。 【選択図】  図１
2008182389.tif 000002
【特許請求の範囲】
【請求項１】
装置本体側の表示部に映像情報を出力する映像出力機能を有した携帯端末装置であって、
前記外部出力装置と前記表示部との間において映像出力先を切り替える切替手段と、
映像出力が可能な外部出力装置との接続有無を検出する接続検出手段と、
を具備し、前記接続検出手段によって外部出力装置との接続が検出された際に、前記切替手段は、映像出力先を前記外部出力装置に切り替えるようにしたことを特徴とする携帯端末装置。
【請求項２】
前記接続検出手段は、外部出力装置との物理的な接続状態を検出するほか、当該外部出力装置との電気的な接続状態を検出し、
この接続検出手段によって外部出力装置に物理的及び電気的に接続されたことが検出された際に、前記切替手段は、映像出力先を外部出力装置に切り替える、
ようにしたことを特徴とする請求項１記載の携帯端末装置。
【請求項３】
前記映像出力機能の動作中に前記接続検出手段によって外部出力装置との接続が検出された際に、前記モード切替手段は、映像出力先を外部出力装置に切り替える、
ようにしたことを特徴とする請求項１記載の携帯端末装置。
【請求項４】
前記接続検出手段によって外部出力装置に接続されている状態から非接続の状態が検出された際に、前記切替手段は、映像出力先を前記表示部に切り替える、
ようにしたことを特徴とする請求項１記載の携帯端末装置。
【請求項５】
装置本体側の表示部に映像情報を出力する映像出力機能を有した携帯端末装置であって、
映像出力が可能な外部出力装置との接続有無を検出する接続検出手段と、
この接続検出手段によって外部出力装置との接続が検出された際に、この外部出力装置側を通信可能状態に切り替える制御信号を当該外部出力装置に対して送信する送信手段と、
を具備したことを特徴とする携帯端末装置。
【請求項６】
前記外部出力装置を通信接続可能状態に切り替えるための制御信号は、外部出力装置の電源を投入することを指示する電源オン信号、外部出力装置の入力モードを外部入力モードに切り替えることを指示するモード切替信号のうち、少なくともそのいずれかの信号である、
ことを特徴とする請求項５記載の携帯端末装置。
【請求項７】
前記外部出力装置と前記表示部との間において映像出力先を切り替える切替手段を更に設け、
前記接続検出手段によって外部出力装置との接続が検出された際に、前記制御信号の送信のほか、前記切替手段は、映像出力先を外部出力装置に切り替える、
ようにしたことを特徴とする請求項５記載の携帯端末装置。
【請求項８】
前記外部出力装置と前記表示部との間において映像出力先を切り替える切替手段を更に設け、
前記映像出力先として前記外部出力装置への切り替えが指示された際に、前記接続検出手段によって外部出力装置との接続が検出されていることを条件に、前記送信手段は、外部出力装置側を通信可能状態に切り替える制御信号を送信する、
ようにしたことを特徴とする請求項５記載の携帯端末装置。
【請求項９】
前記外部出力装置と前記表示部との間において映像出力先を切り替える切替手段を更に設け、前記接続検出手段によって外部出力装置に接続されている状態から非接続の状態が検出された際に、前記切替手段は、映像出力先を前記表示部に切り替える、
ようにしたことを特徴とする請求項５記載の携帯端末装置。
【請求項１０】
コンピュータに対して、
映像出力が可能な外部出力装置と装置本体側の表示部との間において映像出力先を切り替える機能と、
前記外部出力装置との接続有無を検出する機能と、
前記外部出力装置との接続が検出された際に、映像出力先を前記外部出力装置に切り替える機能と、
を実現させるためのプログラム。
【請求項１１】
コンピュータに対して、
映像出力が可能な外部出力装置との接続有無を検出する機能と、
前記外部出力装置との接続が検出された際に、この外部出力装置側を通信可能状態に切り替える制御信号を当該外部出力装置に対して送信する機能と、
を実現させるためのプログラム。
【発明の詳細な説明】
【技術分野】
【０００１】
この発明は、装置本体側の表示部に映像情報を出力する映像出力機能を有した携帯端末装置及びプログラムに関する。
【背景技術】
【０００２】
一般に、デジタルテレビ放送の受信チューナ付き携帯電話装置にあっては、携帯性という特質上、その画面サイズが制約されているために、折角、良質な画像を受信することができたとしても小さな画面で見るしかなかった。
そこで、従来では、携帯電話装置で表示される映像コンテンツを外部モニタに転送して拡大表示させるようにした技術が知られている（特許文献１参照）。
【特許文献１】特開平２００３−２４４２８９号公報
【発明の開示】
【発明が解決しようとする課題】
【０００３】
しかしながら、上述した先行技術にあっては、外部モニタ（テレビ受信機）に対して携帯電話装置側から映像情報（コンテンツ情報）を出力する際の前提条件として、外部モニタの電源をオンしておくこと、外部モニタの入力モードを外部入力モード（例えば、リモコンモード）に設定しておくこと、大量の映像情報を送信する場合には携帯電話装置と外部モニタとを通信ケーブルなどで有線接続しておくことが必要であり、その１つでも忘れると、携帯電話装置から送信した映像情報を外部モニタで表示することができないという問題を生じる。
【０００４】
この発明の課題は、携帯端末装置から外部出力装置へ映像出力させる際に、確実な映像出力を実現できるようにすることである。
【課題を解決するための手段】
【０００５】
請求項１記載の発明（第１の発明）は、装置本体側の表示部に映像情報を出力する映像出力機能を有した携帯端末装置であって、前記外部出力装置と前記表示部との間において映像出力先を切り替える切替手段と、映像出力が可能な外部出力装置との接続有無を検出する接続検出手段とを具備し、前記接続検出手段によって外部出力装置との接続が検出された際に、前記切替手段は、映像出力先を前記外部出力装置に切り替えるようにしたことを特徴とする。
更に、コンピュータに対して、上述した請求項１記載の発明に示した主要機能を実現させるためのプログラムを提供する（請求項１０記載の発明）。
【０００６】
なお、上述した請求項１記載の発明は次のようなものであってもよい。
前記接続検出手段は、外部出力装置との物理的な接続状態を検出するほか、当該外部出力装置との電気的な接続状態を検出し、この接続検出手段によって外部出力装置に物理的及び電気的に接続されたことが検出された際に、前記切替手段は、映像出力先を外部出力装置に切り替える（請求項２記載の発明）。
【０００７】
前記映像出力機能の動作中に前記接続検出手段によって外部出力装置との接続が検出された際に、前記モード切替手段は、映像出力先を外部出力装置に切り替える（請求項３記載の発明）。
【０００８】
前記接続検出手段によって外部出力装置に接続されている状態から非接続の状態が検出された際に、前記切替手段は、映像出力先を前記表示部に切り替える（請求項４記載の発明）。
【０００９】
請求項５記載の発明（第２の発明）は、装置本体側の表示部に映像情報を出力する映像出力機能を有した携帯端末装置であって、映像出力が可能な外部出力装置との接続有無を検出する接続検出手段と、この接続検出手段によって外部出力装置との接続が検出された際に、この外部出力装置側を通信可能状態に切り替える制御信号を当該外部出力装置に対して送信する送信手段とを具備したことを特徴とする。
更に、コンピュータに対して、上述した請求項５記載の発明に示した主要機能を実現させるためのプログラムを提供する（請求項１１記載の発明）。
【００１０】
なお、上述した請求項５記載の発明は次のようなものであってもよい。
前記外部出力装置を通信接続可能状態に切り替えるための制御信号は、外部出力装置の電源を投入することを指示する電源オン信号、外部出力装置の入力モードを外部入力モードに切り替えることを指示するモード切替信号のうち、少なくともそのいずれかの信号である（請求項６記載の発明）。
【００１１】
前記外部出力装置と前記表示部との間において映像出力先を切り替える切替手段を更に設け、前記接続検出手段によって外部出力装置との接続が検出された際に、前記制御信号の送信のほか、前記切替手段は、映像出力先を外部出力装置に切り替える（請求項７記載の発明）。
【００１２】
前記外部出力装置と前記表示部との間において映像出力先を切り替える切替手段を更に設け、前記映像出力先として前記外部出力装置への切り替えが指示された際に、前記接続検出手段によって外部出力装置との接続が検出されていることを条件に、前記送信手段は、外部出力装置側を通信可能状態に切り替える制御信号を送信する（請求項８記載の発明）。
【００１３】
前記外部出力装置と前記表示部との間において映像出力先を切り替える切替手段を更に設け、前記接続検出手段によって外部出力装置に接続されている状態から非接続の状態が検出された際に、前記切替手段は、映像出力先を前記表示部に切り替える（請求項９記載の発明）。
【発明の効果】
【００１４】
第１の発明は、携帯端末装置を外部出力装置に接続した際に、外部出力装置で映像出力が可能となるように映像出力先を外部出力装置２に切り替える設定を行うことができ、携帯端末装置から外部出力装置への確実な映像出力を実現することが可能となる。
【００１５】
第２の発明は、携帯端末装置を外部出力装置に接続した際に、外部出力装置で映像出力が可能となるように外部出力装置を通信可能状態に切り替えることができ、携帯端末装置から外部出力装置への確実な映像出力を実現することが可能となる。
【発明を実施するための最良の形態】
【００１６】
以下、図１〜図６を参照して本発明の実施例を説明する。
この実施例は、携帯端末装置としてテレビ受信出力機能付き携帯電話装置に適用した場合で、図１は、このテレビ受信出力機能付き携帯電話装置１で受信したテレビ放送内容を外部出力装置２から映像出力させる場合を示した概略斜視図である。
携帯電話装置１は、例えば、２つの筐体（操作部筐体１Ａ、表示部筐体１Ｂ）が開閉可能に取り付けられた折畳自在なもので、通話機能、電子メール機能、インターネット接続機能（Ｗｅｂアクセス機能）などのほか、テレビ受信出力機能（映像出力機能）、テレビリモコン機能を備えている。
【００１７】
テレビ受信出力機能は、携帯電話などの携帯受信機向けの地上波デジタルテレビ放送を受信して携帯電話装置１側の表示部にて出力する機能であり、テレビ映像及び音声情報以外にも電子番組表(ＥＰＧ)なども含めて受信可能なものである。テレビリモコン機能は、外部出力装置２を赤外線通信（近距離無線通信）によってリモート・コントロールするもので、例えば、２つの筐体を開いた状態において、操作部筐体１Ａ上の所定キーを操作することによって外部出力装置２に対する制御信号として、例えば、電源オン／オフ信号、チャンネル切替信号などを赤外線送信する構成となっている。なお、表示部筐体１Ｂの上端部には、赤外線発光部Ｒ１が配置され、外部出力装置２の前面部には、赤外線受光部Ｒ２が配置されている。
【００１８】
このテレビ受信出力機能付き携帯電話装置１をクレードル装置３に載置（接続）すると、通信ケーブル４を介して携帯電話装置１は、外部出力装置２に通信接続（有線接続）される。外部出力装置２は、例えば、据置型のテレビ受信機あるいはテレビ受信出力機能付きパーソナルコンピュータであり、携帯電話装置１からクレードル装置３を介して送信されてきたテレビ映像及びテレビ音声を出力する。なお、以下、携帯電話装置１から外部出力装置２への出力には、映像出力に限らず音声出力も含むものとする（以下、同様）。クレードル装置３は、携帯電話装置１の二次電池（図示せず）を充電する充電機能と携帯電話装置１で受信したテレビ放送内容を外部出力装置２に転送するデータ中継機能（通信機能）を備えたもので、外部出力装置２とクレードル装置３とは、通信ケーブル４を介して接続可能となっている。
【００１９】
図２は、テレビ受信出力機能付き携帯電話装置１の基本的な構成要素を示したブロック図である。
ＣＰＵ１１は、記憶部１２内の各種のプログラムに応じて携帯電話装置１の全体動作を制御する中核的な中央演算処理装置である。記憶部１２は、内部メモリであり、プログラム領域とデータ領域とを有し、このプログラム領域には、後述する図３〜図５に示す動作手順に応じて本実施例を実現するためのプログラムが格納されている。外部記録メディア１３は、着脱自在な可搬型メモリで、録画コンテンツなど、各種のデータ・プログラムを外部供給するもので、例えば、ＳＤカード、ＩＣカードなどによって構成されている。メモリ１４は、ワーク領域を有する内部メモリであり、必要に応じてメモリ１４内の各種のデータは、記憶部１２にセーブされる。
【００２０】
電話通信部１５は、無線部を構成するアンテナに接続された送受信部（ベースバンド部）の受信側から信号を取り込んで受信ベースバンド信号に復調したのちに、音響制御部１６を介して受話スピーカ１７から音声出力させる。また、電話通信部１５は、送話マイク１８から入力された音声データを音響制御部１６から取り込み、送信ベースバンド信号に符号化したのちに送受信部の送信側に与えられてアンテナから発信出力させる。一方、インターネット接続機能などによって電話通信部１５を介して受信取得した映像コンテンツあるいはテレビ受信出力機能によって受信したテレビ放送内容は、表示制御部１９を介して携帯表示部２０に与えられて表示出力される。
【００２１】
携帯表示部２０は、文字、映像などを高品位に表示するもので、テレビ受信出力機能の動作時にはテレビ画面として使用され、テレビリモコン機能の動作時にはリモコン画面として使用される。キー操作部２１は、ダイヤル入力、文字入力、コマンド入力などを行うもので、このキー操作部２１には、数値／文字入力キー、ダイヤルキーなどのほか、テレビキー、リモコンキー、モード切替キーが設けられており、ＣＰＵ１１は、キー操作部２１からのキー入力信号に応じた処理を実行する。テレビキーは、テレビ受信出力機能を構成するテレビアプリケーション（ＴＶアプリ）をそのオン／オフ操作によって起動／終了させるキーであり、また、リモコンキーは、リモコン機能をオン／オフさせるキーである。モード切替キーは、映像出力先を携帯表示部２０とする「携帯出力モード」と外部出力装置２とする「外部出力モード」に切り替えるキーである。
【００２２】
テレビ放送受信部２２は、テレビアンテナに接続されていて放送信号を抽出する受信部（アナログ回路部）と、受信した放送信号をＯＦＤＭ（直交周波数分割多重）復調したり、多重化されている放送信号から映像、音声、データに分離して復号化したり、圧縮データの解凍などを行うデジタル回路部を有するもので、テレビ映像データ及び文字データなどは、携帯表示部２０から表示出力され、また、テレビ音声データは、サウンドスピーカ２３から出力される。
【００２３】
リモコン用赤外線通信部２４は、外部出力装置２をリモート・コントロールするもので、外部出力装置２にリモコン制御信号として電源オン／オフ信号、チャンネル信号、音量調整信号などを赤外線送信する。クレードル接続部２５は、携帯電話装置１がクレードル装置３に接続された際に、クレードル装置３からの充電電流によって携帯電話装置１の二次電池（図示せず）を充電するもので、ＣＰＵ１１は、クレードル接続部２５から出力される接続検出信号に基づいて装置本体がクレードル装置３に載置（接続）されているか否か、つまり、クレードル装置３を介して外部出力装置２に接続されているか否かを判別し、その結果、外部出力装置２（クレードル装置３）に接続されていなければ、映像出力先を携帯表示部２０とする「携帯出力モード」に切り替えるが、外部出力装置２（クレードル装置３）に接続されていれば、映像出力先を外部出力装置２とする「外部出力モード」に切り替えるようにしている。
【００２４】
また、クレードル装置３を介して外部出力装置２に接続されている状態において、ＣＰＵ１１は、外部出力装置２との電気的な接続状態を確認するための接続確認信号を送信したのち、その応答有無に基づいて外部出力装置２が電気的に接続されているか、つまり、外部出力装置２側では映像出力可能な状態にあるか否かを判別する。例えば、外部出力装置２側の入力モードが外部からの入力を受け付ける外部入力モード（例えば、リモコンモード）に設定されているか、外部からの入力を受け付けない内部入力モード（例えば、チューナモード）に設定されているかを外部出力装置２からの応答に基づいて判別する。この結果、電気的な接続状態を確認することができなかった場合（例えば、チューナモードに設定されている場合）には、外部出力装置２側の入力モードを「外部入力モード」に切り替えるべきことを指示する制御信号（モード切替信号）をクレードル装置３を介して外部出力装置２に送信するようにしている。
【００２５】
次に、この実施例における携帯電話装置１の動作概念を図３〜図６に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。
【００２６】
図３〜図６は、電源投入に伴って実行開始される携帯電話装置の全体動作を示したフローチャートである。
先ず、ＣＰＵ１１は、電話通信部１５を作動させて現在位置を登録する待受処理を行うと共に、所定の待受画像を読み出して表示出力させながら電話／メールの待受状態となる（図３のステップＳ１）。この状態において、電話／メール着信有りを検出すると（ステップＳ２でＹＥＳ）、着信メロディなどを発生出力させる着信報知を行うと共に、電話あるいはメールの着信処理を実行する（ステップＳ３）。また、待受状態において、何らかの操作が行われると（ステップＳ４でＹＥＳ）、テレビキーのオン操作によってＴＶアプリの起動が指示されたかを調べるが（ステップＳ５）、それ以外の操作であれば（ステップＳ５でＮＯ）、操作キー対応の処理として、例えば、電話発信処理、メール送信処理などの実行に移る（ステップＳ６）。
【００２７】
テレビキーがオン操作されると（ステップＳ５でＹＥＳ）、ＣＰＵ１１は、テレビ放送受信部２２に対して駆動を指示すると共に、ＴＶアプリを起動させたのち（ステップＳ７）、クレードル接続部２５をアクセスして、装置本体がクレードル装置３に接続されているか、つまり、クレードル装置３を介して携帯電話装置１が外部出力装置２に物理的に接続されているかを判別する（ステップＳ８）。いま、クレードル装置３に接続されていなければ（ステップＳ８でＮＯ）、テレビ映像の出力先を携帯表示部２０とするために「携帯出力モード」を選択してモードの切り替えを行う（ステップＳ１６）。そして、テレビ映像を携帯表示部２０に表示させる携帯出力動作を開始したのち（ステップＳ１７）、図５のフローに移り、以下、「携帯出力モード」下での処理を開始する。
【００２８】
すなわち、携帯表示部２０にテレビ映像が表示されている状態の「携帯出力モード」において、何らかのキーが操作されたかを調べる（図５のステップＳ２５）。ここで、モード切替キーの操作によって映像出力先を携帯表示部２０から外部出力装置２に切り替えることが指示されたか（ステップＳ２６）、テレビキーのオフ操作によってテレビ終了が指示されたかを調べ（ステップＳ２７）、それ以外のキーが操作された場合には（ステップＳ２７でＮＯ）、その操作キーに応じた処理として、例えば、音量調整処理などを実行するが（ステップＳ２８）、テレビ終了が指示された場合には（ステップＳ２７でＹＥＳ）、待受状態に戻る（図３のステップＳ１）。
【００２９】
一方、ＴＶアプリの起動時に装置本体がクレードル装置３を介して外部出力装置２に物理的に接続されている場合には（ステップＳ８でＹＥＳ）、外部出力装置２との電気的な接続状態を確認するための接続確認信号を送信してクレードル装置３を介して外部出力装置２に与える（ステップＳ９）。この場合、外部出力装置２側では、この接続確認信号を正常受信すると、その旨を示す応答信号をクレードル装置３を介して携帯電話装置１に送信する。すなわち、外部出力装置２側の入力モードが外部入力モード（例えば、リモコンモード）に設定されているときには携帯電話装置１への応答を行い、内部入力モード（例えば、チューナモード）に設定されているときには無応答となる。
【００３０】
ＣＰＵ１１は、外部出力装置２からの応答有無をチェックした結果（ステップＳ１０）、外部出力装置２からの応答を受信した場合（外部出力装置２側の入力モードが外部入力モードに設定されている場合）には、外部出力装置２側では映像出力が可能な状態、つまり、映像出力の準備が整っている状態にあると判断して、ステップＳ１１に移り、映像出力先を外部出力装置２とするために「外部出力モード」を選択してモードの切り替えを行う。そして、テレビ映像をクレードル装置３を介して外部出力装置２に送信する外部出力動作を開始したのち（ステップＳ１２）、図４のフローに移り、「外部出力モード」下の処理を行う。
【００３１】
すなわち、外部出力装置２にテレビ映像が表示されている状態の「外部出力モード」において、何らかのキーが操作されると（図４のステップＳ１８でＹＥＳ）、モード切替キーの操作によって映像出力先を外部出力装置２から携帯表示部２０に切り替えることが指示されたか（ステップＳ１９）、テレビキーのオフ操作によってテレビ終了が指示されたかを調べを調べる（ステップＳ２０）。いま、それ以外のキーが操作された場合には（ステップＳ２０でＮＯ）、その操作キーに応じた処理として、例えば、リモコン用赤外線通信部２４から操作キー対応の信号、例えば、チャンネル切替信号、音量調整信号などを送信出力する処理を実行し（ステップＳ２１）、テレビ終了が指示された場合には（ステップＳ２０でＹＥＳ）、待受状態に戻る（図３のステップＳ１）。
【００３２】
また、上述のステップＳ１０において、外部出力装置２からの応答有無をチェックした結果、電気的な接続状態を確認することができなかった場合（外部出力装置２側の入力モードがチューナモードに設定されている場合）には、映像出力先を携帯表示部２０とするか外部出力装置２とするかを問い合わせるための確認メッセージを表示させたのち（ステップＳ１３）、選択操作待ちとなる（ステップＳ１４）。このメッセージ画面には、「１：外部出力装置」、「２：携帯表示部」の項目が設けられており、ユーザ操作によって「２：携帯表示部」の項目が選択指定されたときには（ステップＳ１５でＮＯ）、映像出力先を携帯表示部２０とするために「携帯出力モード」を選択したのち（ステップＳ１６）、テレビ映像を携帯表示部２０に表示させる携帯出力動作を開始するが（ステップＳ１７）、「１：外部出力装置」の項目が選択されたときには（ステップＳ１５でＹＥＳ）、図６のフローに移る。
【００３３】
すなわち、外部出力装置２を通信接続可能状態に切り替えるためにリモコン用赤外線通信部２４を駆動させて外部出力装置２側の入力モードを「外部入力モード」に切り替えるべきことを指示するモード切替信号を外部出力装置２の制御信号として送信出力させる（ステップＳ４０）。ここで、外部出力装置２側では、携帯電話装置１からのモード切替信号を受信すると、その入力モードを「チューナモード」から「外部入力モード（リモコンモード）」に切り替えるようにしている。そして、携帯電話装置１側では、外部出力装置２側が通信接続可能状態に切り替えられたか、つまり、その入力モードが「外部入力モード」に切り替えられたかを確認するために、外部出力装置２との電気的な接続状態を確認する接続確認信号をクレードル装置３を介して外部出力装置２に送信する（ステップＳ４１）。
【００３４】
そして、外部出力装置２からの応答有無をチェックする（ステップＳ４２）。この結果、外部出力装置２から応答無しの場合には（ステップＳ４２でＮＯ）、図５のフローに移って「携帯出力モード」下の処理を行うが、外部出力装置２から応答を受信した場合には、つまり、つまり、外部出力装置２側の入力モードが外部入力モードに設定されている場合には（ステップＳ４２でＹＥＳ）、ステップＳ３８に移り、映像出力先を外部出力装置２とするために「外部出力モード」を選択して、テレビ映像を外部出力装置２に送信する外部出力動作を開始したのち（ステップＳ３９）、図４のフローに移り、「外部出力モード」下の処理を行う。
【００３５】
次に、携帯表示部２０にテレビ映像が表示されている状態の「携帯出力モード」において、クレードル装置３に接続された場合、あるいはモード切替操作によって「携帯出力モード」から「外部出力モード」への変更が指示された場合の動作について説明する。
先ず、「携帯出力モード」下でのキー操作無しのタイミングでは（図５のステップＳ２５でＮＯ）、クレードル装置３を介して装置本体が外部出力装置２に物理的に接続されたか、つまり、クレードル接続部２５の出力が非接続の状態から接続状態に変化したかを判別し（ステップＳ２９）、クレードル３に接続されていなければ、上述のステップＳ２５に戻るが、クレードル装置３に接続されたときには（ステップＳ２９でＹＥＳ）、図６のフローに移る。
【００３６】
先ず、ＣＰＵ１１は、外部出力装置２との電気的な接続状態を確認するための接続確認信号をクレードル装置３を介して外部出力装置２に送信したのち（ステップＳ３６）、外部出力装置２からの応答有無をチェックする（ステップＳ３７）。その結果、外部出力装置２からの応答を受信すれば、「外部出力モード」を選択して（ステップＳ３８）、テレビ映像を外部出力装置２に送信する外部出力動作を開始したのち（ステップＳ３９）、図４のフローに移り、「外部出力モード」下の処理を行うが、外部出力装置２から応答が無ければ（ステップＳ３７でＮＯ）、上述のステップＳ４０に移り、リモコン用赤外線通信部２４からモード切替信号を送信したのち、上述と同様の動作が行う。
【００３７】
一方、「携帯出力モード」下においてモード切替操作が行われると（図５のステップＳ２６でＹＥＳ）、クレードル装置３に接続されているかを判別する（ステップＳ３０）。ここで、モード切替操作時にクレードル装置３に接続されていれば（ステップＳ３０でＹＥＳ）、図６のステップＳ３６に移り、以下、上述の同様のモード切替処理を実行するが、モード切替操作時にクレードル装置３に接続されていなければ（ステップＳ３０でＮＯ）、クレードル装置３への接続を促すための催促メッセージを表示させる（ステップＳ３１）。なお、この催促メッセージは、表示メッセージに限らず、音声メッセージであってもよい。
【００３８】
そして、ＣＰＵ１１は、催促メッセージを出力してから所定時間（例えば、２０秒）が経過するまでの間にクレードル装置３に接続されたか否かを監視する（ステップＳ３２、３３）。この場合、ステップＳ３２では、クレードル装置３との物理的な接続のほか、外部出力装置２との電気的な接続状態をも含めて検出するようにしており、上述のステップＳ９、１０と同様に、接続確認信号を送信したのち、その応答有無を判別することによって外部出力装置２に電気的に接続されているか否かの検出を行う。
【００３９】
いま、所定時間が経過してもクレードル装置３に接続されなければ（ステップＳ３３でＹＥＳ）、今回のモード切替操作を無効とするためにステップＳ２５に戻るが、所定時間内にクレードル装置３に接続されたときには（ステップＳ３２でＹＥＳ）、上述と同様に、「携帯出力モード」から「外部出力モード」に切り替えたのち（ステップＳ３４）、テレビ映像を外部出力装置２に対して送信する外部出力動作を開始する（ステップＳ３５）。そして、図４のフローに移り、「外部出力モード」下の処理を行う。
【００４０】
次に、外部出力装置２にテレビ映像が表示されている状態の「外部出力モード」においてクレードル装置３の接続が外された場合、あるいはモード切替操作によって「外部出力モード」から「携帯出力モード」への変更が指示された場合の動作について説明する。
先ず、「外部出力モード」下でのキー操作無しのタイミングでは（図４のステップＳ１８でＮＯ）、装置本体がクレードル装置３から外されたか、つまり、クレードル接続部２５の出力が接続状態から非接続の状態に変化したかを判別する（ステップＳ２２）。
【００４１】
その結果、クレードル装置３に接続されているままの状態であれば（ステップＳ２２でＮＯ）、上述のステップＳ１８に戻るが、クレードル装置３から外されたときには（ステップＳ２２でＹＥＳ）、「携帯出力モード」を選択してモードの切り替えを行ったのち（ステップＳ２３）、テレビ映像を携帯表示部２０に表示させる携帯出力動作を開始する（ステップＳ２４）。その後、図５のフローに移り、「携帯出力モード」下の処理を行う。一方、「外部出力モード」においてモード切替キーの操作によって映像出力先が外部出力装置２から携帯表示部２０への切り替えが指示されたときにも（図４のステップＳ１９ででＹＥＳ）、「携帯出力モード」を選択して（ステップＳ２３）、テレビ映像を携帯表示部２０に表示させる携帯出力動作を開始したのち（ステップＳ２４）、図５のフローに移り、以下、同様の処理を実行する。
【００４２】
以上のように、この実施例において携帯電話装置１は、外部出力装置２との接続を検出した際に、外部出力装置２で映像出力が可能となるように映像出力先を外部出力装置２に切り替えることによって携帯端末装置１から外部出力装置２への確実な映像出力を実現することが可能となる。
【００４３】
ＣＰＵ１１は、外部出力装置２との物理的な接続状態を検出するほか、当該外部出力装置２との電気的な接続状態を検出した際に、映像出力先を外部出力装置２に切り替えるようにしたので、それらの接続関係を確実に検出することができると共に、外部出力装置２との接続状態が確立した段階で映像出力先を外部出力装置２に切り替えることができる。
【００４４】
テレビ受信出力機能を構成するＴＶアプリの動作中において外部出力装置との接続が検出された際に、映像出力先を外部出力装置２に切り替えるようにしたので、外部出力装置２の接続後、直ちに外部出力装置２側での出力を開始することが可能となる。
【００４５】
「外部出力モード」において外部出力装置２に接続されている状態から非接続の状態が検出された際に、映像出力先を携帯表示部２０に切り替えるようにしたので、特別なキー操作を行わなくても、外部出力装置２に接続されている状態から非接続の状態に変更するだけで映像出力先を携帯表示部２０に切り替えることが可能となる。
【００４６】
一方、携帯電話装置１は、外部出力装置との接続が検出された際に、外部出力装置２を通信接続可能状態に切り替えるための制御信号を送信するようにしたので、外部出力装置２で映像出力が可能となるように外部出力装置２を通信可能状態に切り替えることができ、携帯端末装置１から外部出力装置２への確実な映像出力を実現することが可能となる。
【００４７】
外部出力装置２を通信接続可能状態に切り替えるための制御信号は、外部出力装置２側の入力モードを「外部入力モード」に切り替えるべきことを指示するモード切替信号であり、このモード切替信号をリモコン用赤外線通信部２４から送信するようにしたので、外部出力装置２の接続時に、外部出力装置２を通信可能状態に設定することができると共に、外部出力装置２を遠隔制御することができる。
【００４８】
外部出力装置２との接続が検出された際に、リモコン用赤外線通信部２４からモード切替信号を外部出力装置２に対して送信するほか、携帯電話装置１側での映像出力先を外部出力装置２に切り替えるようにしたので、外部出力装置２との接続時に、直ちに外部出力装置２での映像出力を開始させることができる。
【００４９】
映像出力先として外部出力装置２への切り替えが指示された際に、外部出力装置２に接続されていることを条件に、外部出力装置２側を通信可能な状態とする「外部入力モード」に切り替えるモード切替信号を送信するようにしたので、映像出力先に連動して外部出力装置２側を通信可能状態に設定することができる。
【００５０】
なお、上述した実施例においては、外部出力装置２を通信接続可能状態に切り替えるための制御信号として、外部出力装置２側の入力モードを「外部入力モード」に切り替えるべきことを指示するモード切替信号を送信するようにしたが、外部出力装置２側の電源をオンすべきことを指示する電源ＯＮ信号を送信するようにしてもよく、また、この電源ＯＮ信号、モード切替信号を順次送信するようにしてもよい。
【００５１】
また、上述した実施例においては、外部出力装置２に接続されている否かを検出する際に、携帯電話装置１がクレードル装置３を介して外部出力装置２に接続されているか否かを検出するようにしたが、例えば、携帯電話装置１と外部出力装置２との接続は、外部出力装置２側のコネクタ部に携帯電話装置１を差し込むダイレクト接続であってもよく、また、携帯電話装置１と外部出力装置２とを通信ケーブルを介して接続するようにしてもよい。更に、携帯電話装置１と外部出力装置２との間で線通信によって映像情報を送受信するようにしてもよい。
【００５２】
上述した実施例においては、外部出力装置２の入力モードが「外部出力モード」に切り替えられた際に、携帯電話装置１から外部出力装置２に対して映像出力するようにしたが、携帯電話装置１側で受信チャンネルの選択操作が行われる際に、外部出力装置２への映像出力を開始するようにしてもよい。
【００５３】
上述した実施例においては、外部出力装置２として、据置型のテレビ受信機を示したが、他のＴＶ受信機能付き携帯電話装置であってもよく、また、外部モニタ装置（外部表示装置）であってもよい。
また、上述した実施例においては、外部出力装置２に対するリモコン指示信号を赤外線通信によって送信するようにしたが、Bluetooth通信方式によって送信するようにしてもよい。
【００５４】
上述した実施例においては、テレビ放送受信部２２からのテレビ映像を外部出力装置２に出力する場合を例示したが、テレビ放送の受信出力に限らず、記録メディア１３から外部供給された映像コンテンツあるいはインターネットを介してダウンロード受信した映像コンテンツなどを外部出力装置２から出力させるようにしてもよい。
【００５５】
上述した実施例においては、２つの筐体（操作部筐体１Ａ、表示部筐体１Ｂ）を開閉可能に取り付けた折畳自在な携帯電話装置１を例示したが、例えば、装置本体を構成する２つの筐体の位置関係に応じて装置本体の形態を４つのスタイルに変更可能な折畳・回転型（２軸回転型）の携帯電話装置などであってもよい。
その他、ＴＶ受信機能付きの携帯電話装置に限らず、例えば、ＴＶ受信機能付きのＰＤＡ・電子カメラ・電子腕時計・音楽再生機などの携帯端末装置であっても同様に適用可能である。
【図面の簡単な説明】
【００５６】
【図１】携帯端末装置として適用した携帯電話装置１で受信したテレビ放送内容を外部出力装置２から出力させる場合を示した概略斜視図。
【図２】テレビ受信出力機能付き携帯電話装置１の基本的な構成要素を示したブロック図。
【図３】電源投入に伴って実行開始される携帯電話装置の全体動作を示したフローチャート。
【図４】図３に続く、フローチャート。
【図５】図４に続く、フローチャート。
【図６】図５に続く、フローチャート。
【符号の説明】
【００５７】
１  携帯電話装置
２  外部出力装置
３  クレードル装置
４  通信ケーブル
１１  ＣＰＵ
１２  記憶部
１５  電話通信部
２０  携帯表示部
２１  キー操作部
２２  テレビ放送受信部
２３  サウンドスピーカ
２４  リモコン用赤外線通信部
２５  クレードル接続部
【図１】
2008182389.tif 000003
【図２】
2008182389.tif 000004
【図３】
2008182389.tif 000005
【図４】
2008182389.tif 000006
【図５】
2008182389.tif 000007
【図６】
2008182389.tif 000008